(57)【要約】【課題】強度および断熱に優れた携帯式コンピュータを提供する。【解決手段】システム筐体１１は電子デバイスを収納する。キーボード・アセンブリ１７はシステム筐体１１の上面に配置される。パーム・レスト１９は合成樹脂で形成されてシステム筐体の上面の一部を覆う。中間部材２３は、キーボード・アセンブリの周辺部の少なくとも一部を覆う意匠部２３ａ、２３ｂ、２３ｃとパーム・レストの下に配置される支持部２３ｄとを備える。中間部材の意匠部が意匠的な機能を発揮し、支持部２３ｄが強度的な機能を発揮することにより、部材を統合して軽量化および薄型化を果たすことができる。さらに、パーム・レストは強度を必要としないため、断熱効果の大きな合成樹脂で形成することができる。【選択図】図２
2009169576.tif 000002
【特許請求の範囲】
【請求項１】
携帯式コンピュータであって、
電子デバイスを収納するシステム筐体と、
前記システム筐体の上面に配置されるキーボード・アセンブリと、
前記システム筐体の上面の一部を覆うパーム・レストと、
前記キーボード・アセンブリの周辺部の少なくとも一部を覆う意匠部と前記パーム・レストの下に配置される支持部とを備える中間部材と
を有する携帯式コンピュータ。
【請求項２】
前記支持部は開口部と複数のリブで構成されている請求項１に記載の携帯式コンピュータ。
【請求項３】
前記複数のリブは、板状のリブとブリッジ状のリブで構成されている請求項２に記載の携帯式コンピュータ。
【請求項４】
前記パーム・レストの下に配置された電池パックを有する請求項１〜請求項３のいずれかに記載の携帯式コンピュータ。
【請求項５】
前記中間部材が軽金属で一体成形されている請求項１ないし請求項４のいずれかに記載の携帯式コンピュータ。
【請求項６】
前記パーム・レストが合成樹脂で形成されている請求項１ないし請求項５のいずれかに記載の携帯式コンピュータ。
【発明の詳細な説明】
【技術分野】
【０００１】
本発明は、携帯式コンピュータの筐体構造に関する。
【背景技術】
【０００２】
ノートブック型パーソナル・コンピュータ（以下、ノートＰＣという。）は、システム筐体にディスプレイ筐体がヒンジで開閉できるように取り付けられている。システム筐体の表面には、キーボードおよび化粧パネルが取り付けられている。これらを広義のシステム筐体としたときに、システム筐体には内部に収納する電子デバイスを保護する強度、ユーザが接触する部分の表面温度の上昇を抑える断熱、軽量化、および薄型化などのさまざまな機能が要求される。
【０００３】
システム筐体の構造は、当初いわゆるモノコック構造といわれる外郭となる強度を確保した箱状の筐体本体と、その上部に配置されたキーボード・アセンブリと、その周囲を覆う化粧パネルとで構成されていた。化粧パネルのうち、キーボード・アセンブリの手前にある部分をユーザがキーボード操作のときに手を保持するパーム・レストという。この化粧パネルは合成樹脂で形成されていた。
【０００４】
特許文献１は、パーム・レストの温度上昇を抑えた携帯型電子機器を開示する。この電子機器は、動作時に高温となる装置や部品をキーボードの下部などのパーム・レストの下部以外の部分に配置する。特許文献２は、パーム・レストとハードディスク・ドライブとの間にパーム・レストを補強する支持部材を設け、パーム・レストに加えられた衝撃をハードディスク・ドライブに伝えないようにしたノート型パーソナル・コンピュータを開示する。
【特許文献１】特開２０００−７５９６２
【特許文献２】特開２００１−２９７５７２
【発明の開示】
【発明が解決しようとする課題】
【０００５】
パーム・レストは、ユーザがノートＰＣを持ち上げるときに保持する場所であり、特に強い強度が要求される。モノコック構造では、パーム・レストの強度を確保するために裏面にリブを貼り付けたり全体を厚くしたりしていたが、内部のスペースが狭くなってしまったり強度が十分でなかったりするといった問題があった。また、パーム・レストを金属で形成して強度を確保しようとすれば、内部からの放熱を受けて表面温度が上昇しやすくなり、ユーザに不快感を与えてしまうといった問題があった。
【０００６】
その後、システム筐体の内部に収納されたデバイスの全体を覆うような別の骨格部材を設けてこれにパーム・レストを支持させる二重構造のシステム筐体が開発された。この構造では、パーム・レストの負荷を骨格部材が支えるので強度を確保することはできるが、別部材を必要とするためにコストが上昇したり、重量が増したりするといった問題があった。したがって、システム筐体に要求されるより厳しい要求を満たすには、従来のモノコック構造や二重構造とは異なる新たな構造のシステム筐体を実現する必要がある。
【０００７】
そこで本発明の目的は、強度および断熱に優れた携帯式コンピュータを提供することにある。さらに本発明の目的は、薄型化および軽量化を実現した携帯式コンピュータを提供することにある。
【課題を解決するための手段】
【０００８】
本発明にかかる携帯式コンピュータは、電子デバイスを収納するシステム筐体と、システム筐体の上面に配置されるキーボード・アセンブリと、システム筐体の上面の一部を覆うパーム・レストと、キーボード・アセンブリの周辺部の少なくとも一部を覆う意匠部とパーム・レストの下に配置される支持部とを備える中間部材とを有する。中間部材は、意匠部と支持部という２つの機能部分を備えており、二重構造のシステム筐体では独立していた部材を一つに統合して軽量化と強度の確保を実現している。
【０００９】
支持部は開口部を連絡する複数のリブで構成することで、軽量化しながら強度を確保することができる。パーム・レストの下に電池パックを配置するような場合でも、中間部材とパーム・レストは別部材であり、かつ、パーム・レストの下に支持部が存在するので電池パックからの熱をパーム・レストに伝わりにくくしている。中間部材を軽金属で一体成形したりパーム・レストを合成樹脂で形成したりすると、強度、重量、および断熱の観点で有利である。パーム・レストは強度が要求されないので、断熱および意匠を考慮して材料および構造を決定することができる。
【発明の効果】
【００１０】
本発明により、強度および断熱に優れた携帯式コンピュータを提供することができた。さらに本発明により、薄型化および軽量化を実現した携帯式コンピュータを提供することができた。
【発明を実施するための最良の形態】
【００１１】
図１は、本実施の形態にかかるノートＰＣ１０の概略的な外観を示す斜視図である。ノートＰＣ１０は、ディスプレイ筐体１３に液晶ディスプレイ（ＬＣＤ）モジュール１５が収納されている。システム筐体１１には、プロセッサ、マザー・ボード、無線モジュール、ハードディスク・ドライブなどのシステム・デバイスが収納されている。システム筐体１１の上面には、キーボード・アセンブリ１７とパーム・レスト１９が取り付けられている。システム筐体１１とディスプレイ筐体１３は、ヒンジ部２１ａ、２１ｂで開閉可能なように結合されている。
【００１２】
図２は、ノートＰＣ１０のシステム筐体側の構成を示す分解斜視図である。システム筐体１１は軽金属で成型され、複数のタッピング・ボス２５ａ〜２５ｅが底面に形成されている。システム・デバイスを収納したシステム筐体１１の上には、中間部材２３がタッピング・ボス２５ａ〜２５ｄに取り付けられ、中間部材２３とシステム筐体１１の底面との間にはシステム・デバイスを収納する空間が確保されている。中間部材２３は、キーボード・アセンブリ１７の周囲では、ディスプレイ筐体１３を開いたときに露出する意匠部２３ａ、２３ｂ、２３ｃを備えている。
【００１３】
中間部材２３はまた、キーボード・アセンブリ１７の下ではキーボード・アセンブリ１７を取り付けるためのフレーム２３ｅと、パーム・レスト１９の下部でパーム・レスト１９に対してキーボード操作をするユーザの手により加えられた圧力を支える支持部２３ｄを備えている。意匠部２３ａ〜２３ｃ、フレーム２３ｅ、および支持部２３ｄはマグネシウムやアルミニウムなどの軽合金のダイカストで一体成形されている。支持部２３ｄの下には、電池パック２７が配置されている。
【００１４】
図３は、中間部材２３がシステム筐体１１に取り付けられ、さらにキーボード・アセンブリ１７が中間部材２３のフレーム２３ｅに取り付けられた状態を示す平面図である。意匠部２３ａ、２３ｂ、２３ｃは、キーボード・アセンブリ１７の３方に配置されている。中間部材２３は、意匠部２３ａ、２３ｂ、２３ｃが従来のモノコック構造や二重構造のシステム筐体に取り付けられたキーボード・ベゼルの役割を果たし、支持部２３ｄが従来の二重構造のシステム筐体に採用されていた骨格部材の役割を果たしている。
【００１５】
図４は、支持部２３ｄの一部を拡大した斜視図であり、図６は、図４のＡ−Ａ断面の一部を示す断面図である。支持部２３ｄは、パーム・レスト１９の下部に配置されて、パーム・レスト１９に加えられた力を支えて内部のシステム・デバイスを保護したりユーザの手を安定して保持したりする役割を果たす。支持部２３ｄは、図６に示すように板状のリブ１０１ａ、１０１ｂ、およびブリッジ状のリブ１０５を含んだ立体的な形状で構成されている。さらに、開口部１０３ａ、１０３ｂ、１０３ｃを備えており、軽量で強度を増した構造になっている。
【００１６】
図５は、図４における支持部２３ｄの上にパーム・レスト１９が取り付けられた状態を示す平面図である。パーム・レスト１９は、強度を要求されないために意匠および断熱だけを考慮して材料および構造を決定することができるため、金属に比べて熱伝導率の悪いＡＢＳ樹脂やＰＣ樹脂で形成することができる。さらに、パーム・レスト１９は中間部材２３とは別の部材で形成されているため、支持部２３ｄの下に特に発熱の大きい電池パック２７が配置されるときであっても、パーム・レスト１９の表面温度は上がりにくくなり、ユーザに不快感を与えないようになっている。
【００１７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００１８】
【図１】本実施の形態にかかるノートＰＣの概略的な外観を示す斜視図である。
【図２】ノートＰＣのシステム筐体側の構成を示す分解斜視図である。
【図３】キーボード・アセンブリが中間部材のフレームに取り付けられた状態を示す平面図である。
【図４】支持部の一部を拡大した斜視図である。
【図５】支持部の上にパーム・レストが取り付けられた状態を示す平面図である。
【図６】図４のＡ−Ａ断面の一部を示す断面図である。
【符号の説明】
【００１９】
１１…システム筐体
１７…キーボード・アセンブリ
１９…パーム・レスト
２３…中間部材
２３ａ〜２３ｃ…意匠部
２３ｄ…支持部
２３ｅ…フレーム
２５ａ〜２５ｅ…タッピング・ボス
２７…電池パック
【図１】
2009169576.tif 000003
【図２】
2009169576.tif 000004
【図３】
2009169576.tif 000005
【図４】
2009169576.tif 000006
【図５】
2009169576.tif 000007
【図６】
2009169576.tif 000008